(57)【要約】【課題】コンテンツ情報に適切なコンテンツ関連情報を紐付けた高品位のユニット情報を提供可能な、情報処理装置等を提供する。【解決手段】番組情報Ｐ、番組関連情報Ｒおよびユニット情報Ｕが登録されるデータベース４と、番組情報に番組関連情報を紐付けて作成されたユニット情報を操作端末２から受信するユニット情報受信部１１と、受信したユニット情報と重複するユニット情報がデータベースに登録されているかを確認する重複登録確認部１３と、重複登録の確認結果を操作端末を通じて操作者Ａに通知する重複登録通知部１５と、重複登録が確認されなければ、データベースまたは外部データベース５に登録されている検証情報Ｅに基づき、ユニット情報の信憑性を確認する信憑性確認部１７と、信憑性の確認結果を操作端末を通じて操作者に通知する信憑性通知部１９と、信憑性が確認されたユニット情報をデータベースに登録するユニット情報登録部２１とを備える。【選択図】図１
2012004648.tif 000002
【特許請求の範囲】
【請求項１】
コンテンツ情報、コンテンツ関連情報およびユニット情報が登録されるデータベースと、
前記コンテンツ情報に前記コンテンツ関連情報を紐付けて作成された前記ユニット情報を操作端末から受信するユニット情報受信部と、
前記受信したユニット情報と重複するユニット情報が前記データベースに登録されているかを確認する重複登録確認部と、
前記重複登録の確認結果を前記操作端末を通じて操作者に通知する重複登録通知部と、
前記重複登録が確認されなければ、前記データベースまたは外部データベースに登録されている検証情報に基づき、前記ユニット情報の信憑性を確認する信憑性確認部と、
前記信憑性の確認結果を前記操作端末を通じて前記操作者に通知する信憑性通知部と、
前記信憑性が確認されたユニット情報を前記データベースに登録するユニット情報登録部と
を備える情報処理装置。
【請求項２】
前記信憑性確認部は、前記ユニット情報を前記コンテンツ情報と前記コンテンツ関連情報に分離し、前記データベースまたは前記外部データベースに登録されている前記検証情報に基づき、前記コンテンツ情報と前記コンテンツ関連情報の関係の信憑性を検証する、請求項１に記載の情報処理装置。
【請求項３】
前記ユニット情報登録部は、前記信憑性が確認されなかったユニット情報を所定期間に亘って前記データベースに仮登録し、前記所定期間内に前記信憑性が確認されると、前記信憑性が確認されたユニット情報を前記データベースに登録する、請求項１または２に記載の情報処理装置。
【請求項４】
所定の紐付け規則に従って前記コンテンツ情報に適切な前記コンテンツ関連情報が紐付けられているかを確認する紐付け規則確認部と、
前記紐付け規則の確認結果を前記操作端末を通じて操作者に通知する紐付け規則通知部と
をさらに備える、請求項１から３のいずれか１項に記載の情報処理装置。
【請求項５】
前記ユニット情報受信部は、前記データベースに登録されているコンテンツ関連情報または前記操作者により作成されたコンテンツ関連情報を、前記コンテンツ情報に紐付けて作成されたユニット情報を前記操作端末から受信する、請求項１から４のいずれか１項に記載の情報処理装置。
【請求項６】
前記ユニット情報受信部は、前記操作者により作成されたコンテンツ関連情報を前記操作端末から受信し、
前記ユニット情報登録部は、前記受信したコンテンツ関連情報を前記データベースに登録する、請求項５に記載の情報処理装置。
【請求項７】
前記ユニット情報の作成のために、前記データベースに登録されている前記コンテンツ情報、前記コンテンツ関連情報および前記ユニット情報を前記操作者に公開する情報公開部をさらに備える、請求項１から６のいずれか１項に記載の情報処理装置。
【請求項８】
前記ユニット情報を前記利用端末に送信するユニット情報送信部と、
前記ユニット情報の利用状況を示す利用ログを前記利用端末から受信する利用ログ受信部と、
前記利用ログを前記ユニット情報に関連付けて登録する利用ログ登録部と
をさらに備える、請求項１から７のいずれか１項に記載の情報処理装置。
【請求項９】
前記操作者が作成したユニット情報の利用ログを前記操作端末を通じて前記操作者に通知する利用ログ通知部をさらに備える、請求項８に記載の情報処理装置。
【請求項１０】
前記操作者が作成したユニット情報の利用ログに基づき、前記ユニット情報の利用状況に応じたサービスを前記操作者に提供するサービス提供部をさらに備える、請求項８または９に記載の情報処理装置。
【請求項１１】
コンピュータによって、
コンテンツ情報にコンテンツ関連情報を紐付けて作成されたユニット情報を操作端末から受信するステップと、
前記受信したユニット情報と重複するユニット情報がデータベースに登録されているかを確認するステップと、
前記重複登録の確認結果を前記操作端末を通じて操作者に通知するステップと、
前記重複登録が確認されなければ、前記データベースまたは外部データベースに登録されている検証情報に基づき、前記ユニット情報の信憑性を確認するステップと、
前記信憑性の確認結果を前記操作端末を通じて前記操作者に通知するステップと、
前記信憑性が確認されたユニット情報を前記データベースに登録するステップと
を含む情報処理方法。
【請求項１２】
請求項１１に記載の情報処理方法をコンピュータに実行させるためのプログラム。
【発明の詳細な説明】
【技術分野】
【０００１】
本発明は、情報処理装置、情報処理方法およびプログラムに関する。
【背景技術】
【０００２】
番組、書籍媒体、音楽媒体、映像媒体、ゲーム媒体等からなるコンテンツのコンテンツ情報とともに、コンテンツに関連する広告・商品・サービス・他のコンテンツ等に関するコンテンツ関連情報を利用者に提供する情報提供サービスが知られている（下記特許文献１等参照）。サービス提供者は、コンテンツ情報にコンテンツ関連情報を紐付けてユニット情報を作成し、利用者に提供する。利用者は、ユニット情報を取得し、コンテンツ情報を閲覧するとともに、コンテンツ関連情報を通じて、例えば、コンテンツに関連する広告を閲覧し、コンテンツに関連する商品・サービスを購入し、またはコンテンツに関連する他のコンテンツを視聴する。
【先行技術文献】
【特許文献】
【０００３】
【特許文献１】特開２００９−３３４４９号公報
【発明の概要】
【発明が解決しようとする課題】
【０００４】
ここで、サービス提供者の側では、コンテンツ情報、コンテンツ関連情報およびユニット情報がデータベースとして管理されている。そして、コンテンツ情報とコンテンツ関連情報の関係を確認した上で、コンテンツ情報に適切なコンテンツ関連情報が紐付けられる。しかし、通常、コンテンツ情報に紐付けられるべき全てのコンテンツ関連情報が必ずしも管理されていない。また、通常、利用者の要求を満たす適切なコンテンツ関連情報が必ずしも紐付けてられていない。また、サービス提供者の側では、データベースを公開し、コンテンツ関連情報の紐付けを外部の操作者に依頼する場合がある。しかし、この場合も、利用者の要求を満たす適切なコンテンツ関連情報が必ずしも紐付けられていない場合がある。このため、サービス提供者は、コンテンツ情報に適切なコンテンツ関連情報を紐付けた高品位のユニット情報を利用者に提供できず、利用者は、高品位のユニット情報を利用できない場合があった。
【０００５】
そこで、本発明は、コンテンツ情報に適切なコンテンツ関連情報を紐付けた高品位のユニット情報を提供可能な、情報処理装置、情報処理方法およびプログラムを提供しようとするものである。
【課題を解決するための手段】
【０００６】
本発明のある観点によれば、コンテンツ情報、コンテンツ関連情報およびユニット情報が登録されるデータベースと、コンテンツ情報にコンテンツ関連情報を紐付けて作成されたユニット情報を操作端末から受信するユニット情報受信部と、受信したユニット情報と重複するユニット情報がデータベースに登録されているかを確認する重複登録確認部と、重複登録の確認結果を操作端末を通じて操作者に通知する重複登録通知部と、重複登録が確認されなければ、データベースまたは外部データベースに登録されている検証情報に基づき、ユニット情報の信憑性を確認する信憑性確認部と、信憑性の確認結果を操作端末を通じて操作者に通知する信憑性通知部と、信憑性が確認されたユニット情報をデータベースに登録するユニット情報登録部とを備える情報処理装置が提供される。
【０００７】
上記信憑性確認部は、ユニット情報をコンテンツ情報とコンテンツ関連情報に分離し、データベースまたは外部データベースに登録されている検証情報に基づき、コンテンツ情報とコンテンツ関連情報の関係の信憑性を検証してもよい。
【０００８】
上記ユニット情報登録部は、信憑性が確認されなかったユニット情報を所定期間に亘ってデータベースに仮登録し、所定期間内に信憑性が確認されると、信憑性が確認されたユニット情報をデータベースに登録してもよい。
【０００９】
上記情報処理装置は、所定の紐付け規則に従ってコンテンツ情報に適切なコンテンツ関連情報が紐付けられているかを確認する紐付け規則確認部と、紐付け規則の確認結果を操作端末を通じて操作者に通知する紐付け規則通知部とをさらに備えてもよい。
【００１０】
上記ユニット情報受信部は、データベースに登録されているコンテンツ関連情報または操作者により作成されたコンテンツ関連情報を、コンテンツ情報に紐付けて作成されたユニット情報を操作端末から受信してもよい。
【００１１】
上記ユニット情報受信部は、操作者により作成されたコンテンツ関連情報を操作端末から受信し、上記ユニット情報登録部は、受信したコンテンツ関連情報をデータベースに登録してもよい。
【００１２】
上記情報処理装置は、ユニット情報の作成のために、データベースに登録されているコンテンツ情報、コンテンツ関連情報およびユニット情報を操作者に公開する情報公開部をさらに備えてもよい。
【００１３】
上記情報処理装置は、ユニット情報を利用端末に送信するユニット情報送信部と、ユニット情報の利用状況を示す利用ログを利用端末から受信する利用ログ受信部と、利用ログをユニット情報に関連付けて登録する利用ログ登録部とをさらに備えてもよい。
【００１４】
上記情報処理装置は、操作者が作成したユニット情報の利用ログを操作端末を通じて操作者に通知する利用ログ通知部をさらに備えてもよい。
【００１５】
上記情報処理装置は、操作者が作成したユニット情報の利用ログに基づき、ユニット情報の利用状況に応じたサービスを操作者に提供するサービス提供部をさらに備えてもよい。
【００１６】
また、本発明の別の観点によれば、コンピュータによって、コンテンツ情報にコンテンツ関連情報を紐付けて作成されたユニット情報を操作端末から受信するステップと、受信したユニット情報と重複するユニット情報がデータベースに登録されているかを確認するステップと、重複登録の確認結果を操作端末を通じて操作者に通知するステップと、重複登録が確認されなければ、データベースまたは外部データベースに登録されている検証情報に基づき、ユニット情報の信憑性を確認するステップと、信憑性の確認結果を操作端末を通じて操作者に通知するステップと、信憑性が確認されたユニット情報をデータベースに登録するステップとを含む情報処理方法が提供される。
【００１７】
また、本発明の別の観点によれば、上記情報処理方法をコンピュータに実行させるためのプログラムが提供される。ここで、プログラムは、コンピュータ読取り可能な記録媒体を用いて提供されてもよく、通信手段等を介して提供されてもよい。
【発明の効果】
【００１８】
以上説明したように本発明によれば、コンテンツ情報に適切なコンテンツ関連情報を紐付けた高品位のユニット情報を提供可能な、情報処理装置、情報処理方法およびプログラムを提供することができる。
【図面の簡単な説明】
【００１９】
【図１】本発明の実施形態に係る情報提供システムの概要を示す図である。
【図２】情報提供装置の主要な機能構成を示すブロック図である。
【図３】データベースの構成を示す図である。
【図４】ユニット情報の構成を示す図である。
【図５】情報提供システムの主要な動作を示すシーケンス図である。
【図６】番組情報と番組関連情報の紐付け方法を模式的に示す図である。
【図７】紐付け規則の確認結果を模式的に示す図である。
【図８】紐付け規則の確認結果の通知状態を示す図である。
【図９】重複登録の確認結果を模式的に示す図である。
【図１０】重複登録の確認結果の通知状態を示す図である。
【図１１】信憑性の確認結果を模式的に示す図である。
【図１２】信憑性の確認結果の通知状態を示す図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
［１．情報提供システムの概要］
まず、図１を参照して、本発明の実施形態に係る情報提供システムの概要について説明する。図１は、本発明の実施形態に係る情報提供システムの概要を示す図である。なお、以下では、番組（コンテンツ）を対象として、番組情報（コンテンツ情報）とともに番組に関連する関連情報（コンテンツ関連情報）を利用者に提供する場合について説明する。
【００２２】
図１に示すように、情報提供システムは、情報提供装置１（情報処理装置）と、情報提供装置１に接続可能な操作端末２および利用端末３を含んで構成される。操作端末２および利用端末３は、有線または無線の通信回線（不図示）を通じて情報提供装置１に接続される。なお、操作端末２と利用端末３は、システム上の機能分担により便宜的に分類されるものであり、同一の端末として構成されてもよい。また、操作端末２および利用端末３は、各々に２以上の端末として構成されてもよい。
【００２３】
情報提供装置１は、情報提供サービスを実施するサービス事業者により運用されるサーバ装置等の情報処理装置である。情報提供装置１は、番組情報Ｐ（番組情報の総称）、番組関連情報Ｒ（番組関連情報の総称）、および番組情報Ｐに番組関連情報Ｒを紐付けたユニット情報Ｕ（ユニット情報の総称）をデータベース４により管理するとともに、通信回線（不図示）を通じて外部データベース５（外部データベースの総称）にも接続される。操作端末２は、サービス事業者外部の操作者Ａにより操作されるパーソナルコンピュータ、情報携帯端末等の情報処理装置である。利用端末３は、ユニット情報Ｕを利用する利用者Ｂにより操作される情報処理装置である。
【００２４】
情報提供装置１は、番組情報Ｐに番組関連情報Ｒを紐付けたユニット情報Ｕを利用端末３を通じて利用者Ｂに提供する。操作端末２は、番組情報Ｐに番組関連情報Ｒを紐付けて作成されたユニット情報Ｕを情報提供装置１を通じてサービス事業者（不図示）に提供する。利用端末３は、利用者Ｂによる利用のために、ユニット情報Ｕを情報提供装置１から取得する。
【００２５】
ここで、番組情報Ｐとは、番組のタイトル、出演者、制作者、提供者、提供日時、概要等に関する情報である。番組関連情報Ｒとは、番組に関連する広告・商品・サービス・他の番組等に関する情報である。番組関連情報Ｒは、番組のタイトル、出演者、制作者、提供者、提供日時、概要等のいずれか１つに関連する情報でもよく、これらのうち２以上に関連する情報でもよい。
【００２６】
ユニット情報Ｕとは、ある番組の番組情報Ｐに、当該番組に関連する情報（番組関連情報Ｒ）を紐付けた情報である。なお、ある番組の番組関連情報Ｒには、他の番組の番組情報Ｐが含まれてもよい。ユニット情報Ｕは、詳細は後述するが、番組情報Ｐ、番組関連情報Ｒ、および番組情報Ｐに番組関連情報Ｒを紐付けるための紐付け情報Ｃ（紐付け情報の総称）からなる。
【００２７】
情報提供システムでは、以下のような処理を通じて、番組情報Ｐに適切な番組関連情報Ｒを紐付けた高品位のユニット情報Ｕが提供される。まず、情報提供装置１では、番組情報Ｐに番組関連情報Ｒを紐付けて作成されたユニット情報Ｕが操作端末２から受信される。ここで、番組情報Ｐは、データベース４から取得され、番組関連情報Ｒは、データベース４から取得されもよく、操作者Ａにより作成されてもよい。
【００２８】
次に、受信したユニット情報Ｕと重複するユニット情報Ｕがデータベース４に登録されているかが確認され、重複登録の確認結果が操作端末２を通じて操作者Ａに通知される。重複登録が確認されなければ、データベース４または外部データベース５に登録されている検証情報Ｅ（検証情報の総称）に基づき、ユニット情報Ｕの信憑性が確認され、信憑性の確認結果が操作端末２を通じて操作者Ａに通知される。そして、信憑性が確認されたユニット情報Ｕがデータベース４に登録される。
【００２９】
ここで、ユニット情報Ｕの信憑性は、ユニット情報Ｕに含まれる番組情報Ｐと番組関連情報Ｒの間に、直接的または間接的な何らかの事実関係が認められるかを示している。例えば、番組に関連する広告・商品・サービス・他の番組であれば、番組との間に直接的な事実関係が認められ、同一制作者による他の番組に関連する広告・商品・サービス・他の番組であれば、番組との間に間接的な事実関係が認められる。
【００３０】
そして、サービス事業者により作成されたユニット情報Ｕ、および／または操作者Ａにより作成されたユニット情報Ｕが利用者Ｂに提供される。これにより、ユニット情報Ｕの重複登録を排除し、ユニット情報Ｕの信憑性を確保することで、利用者Ｂの要求を満たす適切な番組関連情報Ｒを番組情報Ｐに紐付けた高品位のユニット情報Ｕを提供することができる。
【００３１】
また、情報提供装置１では、ユニット情報Ｕの提供に応じて、ユニット情報Ｕの利用状況を示す利用ログが受信される。ユニット情報Ｕを作成した操作者Ａには、ユニット情報Ｕの利用ログが通知され、ユニット情報Ｕに含まれる番組関連情報Ｒの提供者（広告事業者、商品・サービス事業者、番組提供事業者等）からユニット情報Ｕの利用状況に応じたサービス・報酬等が提供される。
【００３２】
［２．情報提供装置１の構成］
つぎに、図２から図４を参照して、情報提供装置１の主要な機能構成について説明する。図２は、情報提供装置１の主要な機能構成を示すブロック図である。図３は、データベース４の構成を示す図であり、図４は、ユニット情報Ｕの構成を示す図である。
【００３３】
図２に示すように、情報提供装置１は、データベース４、ユニット情報受信部１１、重複登録確認部１３、重複登録通知部１５、信憑性確認部１７、信憑性通知部１９、ユニット情報登録部２１、紐付け規則確認部２３、紐付け規則通知部２５、ユニット情報作成部２７、ユニット情報送信部２９、利用ログ受信部３１、利用ログ登録部３３、利用ログ通知部３５、サービス提供部３７、情報公開部３９を含んで構成される。
【００３４】
図３に示すように、データベース４では、番組情報Ｐ、番組関連情報Ｒおよびユニット情報Ｕ等が登録されて管理されている。番組情報Ｐは、典型的に、番組提供事業者により管理されている外部データベース５１から日々更新される情報として取得される。番組関連情報Ｒは、広告事業者、商品・サービス販売事業者、番組提供事業者等により管理されている外部データベース５３から取得される。ユニット情報Ｕは、情報提供装置１自体により作成されてもよく、操作端末２を通じて操作者Ａにより作成されてもよい。なお、データベース４では、番組情報Ｐや番組関連情報Ｒの情報自体、および／またはこれらの情報の所在（ＵＲＬ等）が管理されてもよい。
【００３５】
図４に示すように、ユニット情報Ｕは、番組情報Ｐ、番組関連情報Ｒおよび紐付け情報Ｃからなる。図４に示す例では、ユニット情報Ｕａは、番組ＡＢＣの番組情報Ｐａ、番組関連情報Ｒａ１〜Ｒａ５および紐付け情報Ｃａを含み、ユニット情報Ｕｂは、番組ＤＥＦの番組情報Ｐｂ、番組関連情報Ｒｂ１〜Ｒｂ３および紐付け情報Ｃｂを含んでいる。紐付け情報Ｃは、番組関連情報ＲのＩＤ等を用いて、番組情報Ｐに番組関連情報Ｒを紐付けるための情報である。
【００３６】
番組情報Ｐａ、Ｐｂには、番組ＡＢＣの静止画・動画情報、タイトル、出演者、制作者、提供者、提供日時、概要等に関する情報が含まれている。番組関連情報Ｒａ１〜Ｒａ５には、番組ＡＢＣに関連する広告・商品・サービス・他の番組等に関する情報が含まれ、番組関連情報Ｒｂ１〜Ｒｂ３には、番組ＥＤＦに関連する広告・商品・サービス・他の番組等に関する情報が含まれている。番組関連情報Ｒａ１〜Ｒａ５、Ｒｂ１〜Ｒｂ３には、テキスト情報、静止画・動画情報、リンク情報等が含まれている。
【００３７】
番組関連情報Ｒａ１は、番組ＡＢＣのタイトルに関連する商品の情報である。番組関連情報Ｒａ２は、番組ＡＢＣの概要に記載された登場人物Ｚに関連する商品の情報である。番組関連情報Ｒａ３は、番組ＡＢＣの出演者Ｙに関する情報である。番組関連情報Ｒａ４は、番組ＡＢＣのタイトルに関連するサービスの情報である。番組関連情報Ｒａ５は、番組ＡＢＣと同一の制作者による他の番組ＤＥＦに関する情報である。番組関連情報Ｒｂ１は、番組ＤＥＦのタイトルに関連する商品の情報である、番組関連情報Ｒｂ２は、番組ＤＥＦのタイトルに関連するサービスの情報である。番組関連情報Ｒｂ３は、番組ＤＥＦと同一の出演者による他の番組ＧＨＩに関する情報である。なお、番組関連情報Ｒには、他のホームページへのリンクが含まれてもよい。
【００３８】
ユニット情報Ｕは、番組関連情報Ｒ（番組情報Ｐ）を介して他のユニット情報Ｕと関連付けられる。図４に示す例では、番組関連情報Ｒａ５が番組ＤＥＦに関する情報であるので、番組ＡＢＣのユニット情報Ｕａが番組関連情報Ｒａ５（番組情報Ｐｂに相当する。）を介して番組ＤＥＦのユニット情報Ｕｂと関連付けられている。ユニット情報Ｕａ、Ｕｂ同士の関連付けによって、利用者Ｂは、ユニット情報Ｕａと、ユニット情報Ｕａに関連するユニット情報Ｕｂをシームレスに利用することができる。
【００３９】
情報提供装置１では、データベース４に登録されているユニット情報Ｕに基づき、自動的またはオペレータの操作を介して半自動的にユニット情報Ｕ同士が関連付けられる。なお、ユニット情報Ｕは、例えばユニット情報Ｕａ−Ｕｂ、Ｕａ−Ｕｃ等、２以上のユニット情報Ｕに関連付けられてもよく、例えばユニット情報Ｕａ−Ｕｂ−Ｕｃ等、３以上の階層をなすように他のユニット情報Ｕに関連付けられてもよい。
【００４０】
ユニット情報受信部１１は、番組情報Ｐに番組関連情報Ｒを紐付けて作成されたユニット情報Ｕを操作端末２から受信する。操作端末２では、データベース４に登録されている番組関連情報Ｒまたは操作者Ａにより作成された番組関連情報Ｒを番組情報Ｐに紐付けてユニット情報Ｕが作成される。
【００４１】
紐付け規則確認部２３は、所定の紐付け規則に従って番組情報Ｐに適切な番組関連情報Ｒが紐付けられているかを確認する。紐付け規則とは、例えば番組のスポンサーに競合する他社の広告・商品・サービス等に関する情報（番組関連情報Ｒ）の紐付けを防止するために参照される規則である。紐付け規則は、データベース４等により管理されている。紐付け規則通知部２５は、紐付け規則の確認結果、つまり紐付け規則の違反の有無を示すメッセージを生成し、操作端末２を通じて操作者Ａに通知する。
【００４２】
重複登録確認部１３は、受信したユニット情報Ｕと重複するユニット情報Ｕがデータベース４に登録されているかを確認する。ユニット情報Ｕの重複は、番組情報Ｐと番組関連情報Ｒの組合せに基づき判定される。例えば、番組情報Ｐａと番組関連情報Ｒａ１、Ｒａ２からなるユニット情報Ｕａが登録済みであり、番組情報Ｐａと番組関連情報Ｒａ１からなるユニット情報Ｕｂを受信した場合、ユニット情報Ｕａ、Ｕｂが重複していると判定され、ユニット情報Ｕｂの修正が操作者Ａに促される。重複登録通知部１５は、重複登録の確認結果、つまり重複登録の有無を示すメッセージを生成し、操作端末２を通じて操作者Ａに通知する。
【００４３】
信憑性確認部１７は、データベース４または外部データベース５に登録されている検証情報Ｅに基づき、ユニット情報Ｕの信憑性を確認する。ユニット情報Ｕの信憑性は、ユニット情報Ｕを番組情報Ｐと番組関連情報Ｒに分離し、番組情報Ｐと番組関連情報Ｒの関係の信憑性を検証することで確認される。なお、一旦分離されたユニット情報Ｕは、信憑性が確認された後に復元される。
【００４４】
例えば、広告・商品・サービス・他の番組に関する情報（番組関連情報Ｒ）と番組（番組情報Ｐ）の間に何らかの事実関係が認められる場合、番組情報Ｐと番組関連情報Ｒの関係に信憑性があると判定され、他の確認結果に応じてユニット情報Ｕが登録される。信憑性通知部１９は、信憑性の確認結果、つまり信憑性の有無を示すメッセージを生成し、操作端末２を通じて操作者Ａに通知する。
【００４５】
ユニット情報作成部２７は、データベース４に登録されている番組情報Ｐおよび番組関連情報Ｒ、および外部データベース５に登録されている情報を用いて、番組情報Ｐに番組関連情報Ｒを紐付けてユニット情報Ｕを作成する。情報提供装置１では、自動的またはオペレータの操作を介して半自動的にユニット情報Ｕが作成され、データベース４に登録される。
【００４６】
ユニット情報登録部２１は、登録判定の結果に応じて、ユニット情報Ｕをデータベース４に登録する。つまり、紐付け規則を満たし、重複登録が存在せず、かつ信憑性があることが確認されると、ユニット情報Ｕがデータベース４に登録される。また、ユニット情報登録部２１は、ユニット情報作成部２７により作成されたユニット情報Ｕもデータベース４に登録する。また、ユニット情報Ｕに含まれる番組関連情報Ｒが操作者Ａにより作成された情報である場合、番組関連情報Ｒもデータベース４に登録される。
【００４７】
ユニット情報送信部２９は、ユニット情報Ｕを利用端末３に送信する。ユニット情報Ｕは、送信指示に応じて利用端末３に送信されてもよく、予め登録されている利用端末３に自動送信されてもよい。利用ログ受信部３１は、ユニット情報Ｕの利用状況を示す利用ログを受信する。利用ログ登録部３３は、利用ログをユニット情報Ｕに関連付けて利用ログデータベース３４等に登録する。利用ログは、ユニット情報Ｕに含まれる番組関連情報Ｒを通じて行われる、番組に関連する広告の閲覧状況、番組に関連する商品・サービスの購入状況、番組に関連する他の番組の視聴状況等として、ユニット情報Ｕの利用状況を表している。
【００４８】
利用ログ通知部３５は、操作者Ａが作成したユニット情報Ｕの利用ログを操作端末２を通じて操作者Ａに通知する。サービス提供部３７は、操作者Ａが作成したユニット情報Ｕの利用ログに基づき、ユニット情報Ｕの利用状況に応じたサービスや報酬を操作者Ａに提供する。
【００４９】
情報公開部３９は、データベース４に登録されている番組情報Ｐ、番組関連情報Ｒおよびユニット情報Ｕを操作者Ａに公開する。操作者Ａは、アクセス権を予め取得した上で、情報提供装置１上で公開されているＡＰＩ（アプリケーションプログラムインターフェイス）に操作端末２を通じてアクセスする。そして、ＡＰＩを通じてデータベース４に登録されている番組情報Ｐ、番組関連情報Ｒおよびユニット情報Ｕを検索および利用することで、番組情報Ｐに番組関連情報Ｒを紐付けたユニット情報Ｕを作成することができる。
【００５０】
ユニット情報受信部１１、重複登録通知部１５、信憑性通知部１９、紐付け規則通知部２５、ユニット情報送信部２９、利用ログ受信部３１、利用ログ通知部３５、サービス提供部３７は、プロセッサ等により制御される通信装置として構成される。重複登録確認部１３、信憑性確認部１７、ユニット情報登録部２１、紐付け規則確認部２３、利用ログ登録部３３、情報公開部３９、ユニット情報作成部２７は、プロセッサ等を含む情報処理装置として構成される。上記構成要素の機能は、少なくとも一部が回路等のハードウェアとして実現されてもよく、プログラム等のソフトウェアとして実現されてもよい。また、各構成要素をソフトウェアとして実現する場合、情報処理装置のＣＰＵ上で実行されるプログラムを通じて各構成要素の機能が実現される。
【００５１】
［３．情報提供システムの動作］
つぎに、図５から図１２を参照して、情報提供システムの主要な動作について説明する。図５は、情報提供システムの主要な動作を示すシーケンス図である。図６は、番組関連情報Ｒの紐付け方法を模式的に示す図である。図７は、紐付け規則の確認結果を模式的に示す図であり、図８は、その通知状態を示す図である。図９は、重複登録の確認結果を模式的に示す図であり、図１０は、その通知状態を示す図である。図１１は、信憑性の確認結果を模式的に示す図であり、図１２は、その通知状態を示す図である。
【００５２】
なお、図６から図１２では、ユニット情報Ｕａの構成を例として説明するが、各図に示すユニット情報Ｕａには、特に構成上の関連性がないものとする。また、図６から図１２では、番組情報Ｐ、番組関連情報Ｒおよびユニット情報Ｕが簡略化して示されている。
【００５３】
図５に示すように、まず、操作者Ａは、アクセス権を予め取得した上で、情報提供装置１上で公開されているＡＰＩに操作端末２を通じてアクセスする（ステップＳ１１）。
【００５４】
（ユニット情報Ｕの作成）
操作端末２では、ＡＰＩを利用する操作者Ａにより、番組情報Ｐに番組関連情報Ｒを紐付けてユニット情報Ｕが作成される（Ｓ１３）。ここで、ユニット情報Ｕは、データベース４に登録されている番組関連情報Ｒまたは操作者Ａにより作成された番組関連情報Ｒを、番組情報Ｐに紐付けて作成される（紐付け情報Ｃも生成される。）。ユニット情報Ｕが作成されると、ユニット情報Ｕが情報提供装置１に送信される（Ｓ１５）。なお、ユニット情報Ｕ自体に代えて、紐付け情報Ｃ、または紐付け情報Ｃと操作者Ａにより作成された番組関連情報Ｒが送信されてもよい。
【００５５】
図６には、操作端末２に表示されるＡＰＩの操作画面６０が示されている。操作画面６０には、番組情報Ｐの表示領域６１、番組関連情報Ｒの表示領域６２、ユニット情報Ｕの表示領域６３、およびメッセージ表示領域６４が表示されている。なお、図６、図８、図１０および図１２に示す操作画面６０は、操作画面６０の構成の一例を示すものに過ぎない。
【００５６】
操作者Ａは、番組情報Ｐの表示領域６１で、任意の検索ワード等の検索条件を検索条件指定欄７１で指定して、データベース４上で番組情報Ｐを検索することができる。検索結果は、スクロールバー７２の操作によりスクロール表示される。ここで、番組情報Ｐは、番組関連情報Ｒの紐付けが操作者Ａに依頼されているかを示すフラグ７３とともに表示されている。図６では、フラグ「○」が依頼中の状態にあることを示し、フラグ「×」が依頼中の状態にないことを示している。そして、操作者Ａは、依頼中の状態を設定されているフラグ７３とともに表示されている番組情報Ｐを選択することができる。なお、依頼を示すフラグ７３は、例えば番組の提供開示時まで依頼中の状態に設定される。
【００５７】
操作者Ａは、番組関連情報Ｒの表示領域６２で、任意の検索ワード等の検索条件を検索条件指定欄８１で指定して、データベース４上で番組関連情報Ｒを検索することができる。検索結果は、スクロールバー８２の操作によりスクロール表示される。ここで、番組関連情報Ｒは、選択された番組情報Ｐ（図中に太線で表示）に紐付けるかを示すフラグ８３とともに表示されている。図６では、フラグ「レ」が番組情報Ｐとの紐付け状態を示している。そして、操作者Ａは、紐付け状態を示すフラグ８３を切替え操作して、選択した番組情報Ｐに適切な番組関連情報Ｒを紐付けることができる。
【００５８】
また、操作者Ａは、番組関連情報Ｒの表示領域６３で、所定フォーマットで作成された番組関連情報Ｒを登録することができる。予め作成した番組関連情報Ｒのファイル（例えばファイル「Ｒａ５」）がファイル指定欄８４で指定された状態で番組関連情報登録ボタン８５が操作されると、情報提供装置１により登録処理が行われる。ここで、登録処理では、ユニット情報Ｕの作成に利用される適切な番組関連情報Ｒであるかが確認され、適切な番組関連情報Ｒのみが登録される。登録された番組関連情報Ｒ（図中に太線で表示）は、番組関連情報Ｒの表示領域６３に表示される。なお、操作者Ａにより作成された番組関連情報Ｒは、サービス事業者または操作者Ａによるユニット情報Ｕの作成に利用される。
【００５９】
操作者Ａは、ユニット情報Ｕの表示領域６３で、番組関連情報Ｒの紐付け状態、つまりユニット情報Ｕの作成状態を確認することができる。ユニット情報Ｕの作成に際しては、ユニット情報Ｕの名称（例えばユニット情報「Ｕａ」）が名称指定欄９２で指定される。そして、操作者Ａは、ユニット情報Ｕの作成を完了すると、ユニット情報登録ボタン９３を操作して、作成したユニット情報Ｕを情報提供装置１に送信することができる。また、操作者Ａは、任意の検索ワード等の検索条件を検索条件指定欄９１に指定して、データベース４上でユニット情報Ｕを検索することができる。
【００６０】
図６に示す例では、番組情報Ｐの表示領域６１上で選択された番組情報Ｐに対して、番組関連情報Ｒの紐付けが行われている。番組情報Ｐには、操作者Ａにより作成された番組関連情報Ｒａ５を含む５つの番組関連情報Ｒが紐付けられている。そして、ユニット情報Ｕの表示領域６３に示すユニット情報Ｕが作成されている。
【００６１】
（紐付け規則の確認）
情報提供装置１では、所定の紐付け規則に従って番組情報Ｐに適切な番組関連情報Ｒが紐付けられているかが確認される（Ｓ１７）。そして、紐付け規則の確認結果が操作端末２を通じて操作者Ａに通知される（Ｓ１９）。
【００６２】
情報提供装置１では、ユニット情報Ｕを受信すると、番組情報Ｐに基づき番組のスポンサーや提供事業者が確認され、番組関連情報Ｒに基づき番組関連情報Ｒの広告・商品・サービス・他の番組の提供事業者が確認される。そして、紐付け規則に基づき、例えば、番組のスポンサーに競合する他社の広告・商品・サービス等に関する番組関連情報Ｒや番組の提供事業者に競合する他社の番組に関する番組関連情報Ｒが紐付けられていないかが確認される。紐付け規則は、スポンサー間の競合や提供事業者間の競合を規定する情報として予め準備されている。
【００６３】
図７に示す例では、番組情報Ｐａに番組関連情報Ｒａ１〜Ｒａ５が紐付けられている。ここで、例えば、番組関連情報Ｒａ２が番組ＡＢＣのスポンサーに競合する他社の商品に関する情報であり、番組関連情報Ｒａ５が番組ＡＢＣの提供事業者に競合する他事業者の番組である。よって、番組関連情報Ｒａ２、Ｒａ５が紐付け規則に違反していることになる。
【００６４】
この場合、情報提供装置１では、紐付け規則の確認結果を示すメッセージが生成される。そして、図８に示すように、例えば「番組関連情報Ｒａ２、Ｒａ５が紐付け規則を満たしていません。ユニット情報Ｕａを修正してください。」というメッセージが操作画面６０のメッセージ表示領域６４を通じて操作者Ａに通知される。ここで、番組関連情報Ｒａ２、Ｒａ５のスポンサーや提供事業者等、判定結果の詳細が通知されてもよい。そして、ユニット情報Ｕａの修正が行われた後、修正後のユニット情報Ｕａについて紐付け規則が再び確認される。なお、ユニット情報Ｕａが紐付け規則を満たしている場合、その旨のメッセージが通知されてもよく、あえて通知されなくてもよい。
【００６５】
（重複登録の確認）
情報提供装置１では、受信したユニット情報Ｕと重複するユニット情報Ｕがデータベース４に登録されているかが確認される（Ｓ２１）。そして、重複登録の確認結果が操作端末２を通じて操作者Ａに通知される（Ｓ２３）。
【００６６】
情報提供装置１では、受信したユニット情報Ｕに含まれる番組情報Ｐを検索条件として、データベース４に登録されている他のユニット情報Ｕが検索される。そして、検索条件に該当するユニット情報Ｕのうち、受信したユニット情報Ｕに含まれる全ての番組関連情報Ｒを含むユニット情報Ｕがデータベース４に登録されているかが確認される。
【００６７】
図９に示す例では、受信したユニット情報Ｕａが番組情報Ｐａおよび番組関連情報Ｒａ１〜Ｒａ５を含んでいる。また、ユニット情報Ｕｂ、Ｕｃがデータベース４に登録され、ユニット情報Ｕｂが番組情報Ｐａおよび番組関連情報Ｒａ１〜Ｒａ４、Ｒａ６を含み、ユニット情報Ｕｃが番組情報Ｐａおよび番組関連情報Ｒａ１〜Ｒａ５、Ｒａ７を含んでいる。ここで、ユニット情報Ｕｂに番組関連情報Ｒａ５が含まれていない一方、ユニット情報Ｕｃに番組関連情報Ｒａ１〜Ｒａ５が全て含まれている。よって、ユニット情報Ｕａは、ユニット情報Ｕｂとは重複していないが、ユニット情報Ｕｃと重複していると判定される。
【００６８】
この場合、情報提供装置１では、重複登録の確認結果を示すメッセージが生成される。そして、図１０に示すように、例えば「重複するユニット情報Ｕｃが登録済みです。ユニット情報Ｕａを修正してください。」というメッセージが操作画面６０のメッセージ表示領域６４を通じて操作者Ａに通知される。ここで、登録済みのユニット情報Ｕｃ等、判定結果の詳細が通知されてもよい。そして、ユニット情報Ｕの修正が行われた後、修正後のユニット情報Ｕａについて紐付け規則および重複登録が再び確認される。なお、ユニット情報Ｕａが重複登録されていない場合、その旨のメッセージが通知されてもよく、あえて通知されなくてもよい。
【００６９】
（信憑性の確認）
情報提供装置１では、データベース４または外部データベース５に登録されている検証情報Ｅに基づき、ユニット情報Ｕの信憑性が確認される（Ｓ２５）。そして、信憑性の確認結果が操作端末２を通じて操作者Ａに通知される（Ｓ２７）。
【００７０】
情報提供装置１では、まず、ユニット情報Ｕが番組情報Ｐおよび番組関連情報Ｒに分離される。そして、番組情報Ｐの素データおよび番組関連情報Ｒの素データを検索条件として、データベース４または外部データベース５に登録されている検証情報Ｅが検索される。ここで、素データとは、検索条件として利用可能な最小単位のデータを意味する。素データは、例えば番組のタイトルでもよく、番組の概要に形態素解析等の処理を施して抽出された単語・句等でもよい。
【００７１】
次に、番組情報Ｐと番組関連情報Ｒの間に直接的または間接的に何らかの事実関係が認められるかが検証される。信憑性の確認では、番組情報Ｐ、番組関連情報Ｒとともに、番組編成情報、ＥＰＧ情報、ニュース・ブログ記事の情報等、データベース４または外部データベース５に登録されている検証情報Ｅが利用される。
【００７２】
次に、検証情報Ｅ自体、または検証情報Ｅに形態素解析等の処理を施して抽出された単語・句等を利用して、番組情報Ｐと番組関連情報Ｒの間に直接的または間接的な何らかの事実関係が認められるかが検証される。そして、ユニット情報Ｕに含まれる番組情報Ｐとユニット情報Ｕに含まれる全ての番組関連情報Ｒの間に何らかの事実関係が認められた場合、ユニット情報Ｕの信憑性が確認される。
【００７３】
図１１に示す例では、受信したユニット情報Ｕａが番組情報Ｐａおよび番組関連情報Ｒａ１〜Ｒａ５を含んでいる。また、番組情報Ｐａと番組関連情報Ｒａ１〜Ｒａ５の間の事実関係を示すために、検証情報Ｅ１〜Ｅ７が検索されている。
【００７４】
番組関連情報Ｒａ１については、検証情報Ｅ１より番組関連情報Ｒａ１の商品名に番組ＡＢＣのタイトルが含まれている。番組関連情報Ｒａ２については、検証情報Ｅ２より番組Ａに登場人物Ｚが含まれ、検証情報Ｅ３より番組関連情報Ｒａ２の商品名に登場人物Ｚが含まれている。番組関連情報Ｒａ３については、検証情報Ｅ４より番組Ａの出演者に俳優Ｙが含まれ、検証情報Ｅ５より公式サイトの名称に俳優Ｙの名称が含まれている。番組関連情報Ｒａ４については、検証情報Ｅ６より番組関連情報Ｒａ４のサービス詳細に番組ＡＢＣのタイトルが含まれている。よって、番組情報Ｐａと番組関連情報Ｒａ１〜Ｒａ４の間には、何らかの事実関係の存在が認められる。
【００７５】
一方、番組関連情報Ｒａ５については、例えば、検証情報Ｅ7より番組Ａが制作者Ｘにより制作されたことが認められるが、番組関連情報Ｒａ５に関する番組ＤＥＦが制作者Ｘにより制作された等、番組情報Ｐａとの間に何らかの事実関係の存在を裏付ける検証情報Ｅが検索されていない。よって、番組情報Ｐａと番組関連情報Ｒａ５の間には、何らかの事実関係の存在が認められず、ユニット情報Ｕａに信憑性がないと判定される。
【００７６】
この場合、情報提供装置１では、信憑性の確認結果を示すメッセージが生成される。そして、図１２に示すように、例えば「番組情報Ｐａと番組関連情報Ｒａ５の間には、事実関係の存在が認められません。ユニット情報Ｕａを修正してください。」というメッセージが操作画面６０のメッセージ表示領域を通じて操作者Ａに通知される。ここで、番組関連情報Ｒａ５について検索された検証情報Ｅのリスト等、判定結果の詳細が通知されてもよい。そして、ユニット情報Ｕａの修正が行われた後、修正後のユニット情報Ｕａについて紐付け規則、重複登録およびが信憑性が再び確認される。なお、ユニット情報Ｕａの信憑性が確認された場合、その旨のメッセージが通知されてもよく、あえて通知されなくてもよい。
【００７７】
ここで、信憑性が確認されなかったユニット情報Ｕは、番組の提供開始時まで等、所定期間に亘ってデータベース４に仮登録され、所定期間内に信憑性が確認された場合にデータベース４に登録されてもよい。これは、番組情報Ｐが日々更新される情報であることを考慮すれば、番組情報Ｐの更新直後にユニット情報Ｕの登録を試みた場合、その直後に事実関係を裏付ける検証情報Ｅが検索可能となる場合があるためである。
【００７８】
（ユニット情報Ｕの登録等）
そして、情報提供装置１では、ユニット情報Ｕの登録の可否が判定される（Ｓ２９）。そして、ユニット情報Ｕは、紐付け規則を満たし、重複登録が存在せず、かつ信憑性があることが確認されると、データベース４に登録される（Ｓ３１）。ここで、ユニット情報Ｕの登録に際しては、番組情報Ｐ、番組関連情報Ｒおよび紐付け情報Ｃからなるユニット情報Ｕが登録されるとともに、ユニット情報Ｕを登録した操作者Ａの情報が登録される。なお、操作者Ａにより作成された番組関連情報Ｒも登録される。
【００７９】
情報提供装置１では、ユニット情報Ｕが利用者Ｂに提供され（Ｓ３３）、ユニット情報Ｕの利用状況を示す利用ログが受信される（Ｓ３５）。利用ログは、ユニット情報Ｕに含まれる番組関連情報Ｒを通じた、番組に関連する広告の閲覧状況、番組に関連する商品・サービスの購入状況、番組に関連する他の番組の視聴状況等として、ユニット情報Ｕの利用状況を表している。利用ログは、ユニット情報Ｕに関連付けて、データベース４または利用ログデータベース３４等に登録される（Ｓ３７）。なお、利用ログは、利用端末３から情報提供装置１に通知されずに、広告事業者、商品・サービス事業者、番組提供事業者から通知されてもよい。
【００８０】
また、利用ログは、ＡＰＩの操作画面６０上にユニット情報Ｕの検索結果とともに表示されてもよい。操作者Ａは、利用状況の高いユニット情報Ｕを参照することで、ユニット情報Ｕの作成技術を習得することができる。
【００８１】
情情報提供装置１では、操作者Ａが作成したユニット情報Ｕの利用ログが操作端末２を通じて操作者Ａに通知される（Ｓ３９）。利用ログは、操作者Ａの指示に応じて操作端末２に通知されてもよく、予め登録されている操作端末２に定期的に通知されてもよい。
【００８２】
情報提供装置１では、操作者Ａが作成したユニット情報Ｕの利用ログに基づき、ユニット情報Ｕの利用状況に応じたサービス・報酬が操作者Ａに提供される（Ｓ４１）。サービス・報酬は、操作者Ａの請求に応じて操作者Ａに提供されてもよく、予め登録されている操作者Ａに定期的に提供されてもよい。なお、サービス・報酬は、情報提供装置１に代えて、または情報提供装置１とともに、番組関連情報Ｒの提供者から提供されてもよい。
【００８３】
［４．まとめ］
以上説明したように、本発明の実施形態に係る情報提供装置１および情報提供方法によれば、ユニット情報Ｕの重複登録を排除し、ユニット情報Ｕの信憑性を確保することで、番組情報Ｐに利用者Ｂの要求を満たす適切な番組関連情報Ｒを紐付けた高品位のユニット情報Ｕを提供することができる。
【００８４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８５】
例えば、上記説明では、紐付け規則の確認、重複登録の確認および信憑性の確認がユニット情報Ｕの送信後に行われる場合について説明した。しかし、紐付け規則の確認および／または重複登録の確認は、ユニット情報Ｕの送信前に行われてもよい。例えば、紐付け規則の確認は、番組関連情報Ｒの表示領域６２で紐付け状態を示すフラグ８３を操作した時点で行われてもよい。また、作成中のユニット情報Ｕに類似するユニット情報Ｕを併せて表示することで、重複登録と判定されるユニット情報Ｕの作成が事前に防止されるようにしてもよい。
【００８６】
また、上記説明では、番組を対象として、番組情報とともに番組に関連する関連情報を利用者に提供する場合について説明した。しかし、番組に代えて書籍媒体、音楽媒体、映像媒体、ゲーム媒体等のコンテンツを対象として、コンテンツ情報とともにコンテンツに関連する関連情報を利用者に提供する場合についても同様に説明することができる。
【符号の説明】
【００８７】
１    情報提供装置（情報処理装置）
２    操作端末
３    利用端末
４    データベース
５    外部データベース
１１    ユニット情報受信部
１３    重複登録確認部
１５    重複登録通知部
１７    信憑性確認部
１９    信憑性通知部
２１    ユニット情報登録部
２３    紐付け規則確認部
２５    紐付け規則通知部
２７    ユニット情報作成部
２９    ユニット情報送信部
３１    利用ログ受信部
３３    利用ログ登録部
３５    利用ログ通知部
３７    サービス提供部
３９    情報公開部
Ａ    操作者
Ｂ    利用者
Ｐ    番組情報
Ｒ    番組関連情報
Ｕ    ユニット情報
Ｃ    紐付け情報
Ｅ    検証情報
【図１】
2012004648.tif 000003
【図２】
2012004648.tif 000004
【図３】
2012004648.tif 000005
【図４】
2012004648.tif 000006
【図５】
2012004648.tif 000007
【図６】
2012004648.tif 000008
【図７】
2012004648.tif 000009
【図８】
2012004648.tif 000010
【図９】
2012004648.tif 000011
【図１０】
2012004648.tif 000012
【図１１】
2012004648.tif 000013
【図１２】
2012004648.tif 000014